(57)【要約】【課題】  フェムト基地局の設置条件を緩和すべく、データ信号・同期信号を供給する装置を導入し、フェムト基地局からくる電波干渉の影響を最小限に抑えること。フェムト基地局を、バックホール回線を使用できない場所、かつＧＰＳ信号やマクロ基地局からの信号を受信できない場所に設置可能とすること。【解決手段】  通信装置１０は、マクロ基地局２０から受信したデータ信号、及び無線信号から抽出した同期信号を、有線ＬＡＮ等の回線を通してフェムト基地局３０へデータを転送する機能を有する。また、通信装置１０はセンタネットワーク５０とフェムト基地局３０との間でやりとりされる信号を読取り、情報の追加や記憶を行うことで、フェムト基地局３０からの電波干渉を回避することを可能とする。【選択図】図３
2016116188.tif 000002
【特許請求の範囲】
【請求項１】
通信装置であって、
親基地局と無線通信を行う無線端末部と、
有線を介して接続された子基地局との通信を行う通信制御部と、
解析部と、
を備え、
前記解析部は、
前記子基地局から、前記通信制御部を介して、物理レイヤセル識別子（ＰＣＩＤ）要求と、周囲基地局のグローバルレイヤセル識別子（ＧＣＩＤ）及びＰＣＩＤ及び電波強度を含むサーチ結果とを取得し、
前記サーチ結果に前記親基地局の情報が含まれていないと判断した場合、前記サーチ結果に、予め取得した前記親基地局のＧＣＩＤ及びＰＣＩＤ及び電波強度を含む親基地局情報を追加して、ＰＣＩＤ要求と追加された前記サーチ結果を、前記無線端末部を介して、前記親基地局へ送信し、
前記サーチ結果に前記親基地局の情報が含まれていると判断した場合、前記サーチ結果に含まれる前記親基地局の電波強度が予め定められた閾値より低いと判断した場合、前記親基地局の電波強度を、予め取得した前記親基地局のダウンリンク信号の電波強度又は前記ダウンリンク信号の電波強度以上の値に更新し、ＰＣＩＤ要求と更新された前記サーチ結果を、前記無線端末部を介して、前記親基地局へ送信し、
前記サーチ結果に含まれる前記親基地局の電波強度が予め定められた閾値より低くないと判断と判断した場合、ＰＣＩＤ要求と取得した前記サーチ結果を、前記無線端末部を介して、前記親基地局へ送信する
通信装置。
【請求項２】
請求項１に記載の通信装置において、
ＧＣＩＤに対するＰＣＩＤを含む設定情報を記憶する記憶部を備え、
前記解析部は、前記親基地局に有線で接続されたセンタネットワークから、子基地局のＰＣＩＤを含む制御信号を受信し、前記制御信号に含まれる子基地局のＰＣＩＤを読取り、子基地局のＧＣＩＤに対して前記ＰＣＩＤを、前記記憶部に記憶し、前記制御信号を、前記通信制御部を介して前記子基地局へ通知することを特徴とする通信装置。
【請求項３】
請求項１に記載の通信装置において、
判定部を
さらに備え、
前記判定部は、
電波強度の閾値判定に加えて、ハンドオーバ候補先基地局の情報と、子基地局のＧＣＩＤに対するＰＣＩＤを含む設定情報を比較し、
ハンドオーバ候補先基地局の情報と前記設定情報が一致した場合、前記親基地局に有線で接続されたセンタネットワークへ測定結果を通知しないよう通知制御を行うことで、前記子基地局へのハンドオーバを防ぐ
ことを特徴とする通信装置。
【請求項４】
請求項１に記載の通信装置において、
ＧＣＩＤに対するＰＣＩＤを含む設定情報を記憶する記憶部
をさらに備え、
前記判定部は、
ハンドオーバのための隣接基地局のセルサーチ結果を受けた場合、
前記記憶部を参照し、ハンドオーバ先候補と前記子基地局のＰＣＩＤが一致するか否かを判断し、
両者のＰＣＩＤが異なる場合、前記無線端末部を介して、前記親基地局へ測定結果を通知し、ハンドオーバ実施の判断を委ね、
一方、ハンドオーバ先候補と前記子基地局のＰＣＩＤが同一である場合、前記無線端末部を介して、前記セルサーチ結果を通知せず、ハンドオーバ処理を終了させる
ことを特徴とする通信装置。
【請求項５】
請求項１に記載の通信装置において、
同期信号生成部
をさらに備え、
前記同期信号生成部は、受信信号から抽出されたクロック信号及びフレームタイミングに基づき、同期信号を生成し、前記同期信号を前記通信制御部へ供給し、
前記通信制御部は、前記同期信号生成部にて生成された同期信号に同期することで、前記子基地局及び自通信装置及び前記親基地局の位相同期を確立させる
ことを特徴とする通信装置。
【請求項６】
請求項１に記載の通信装置において、
前記同期信号生成部
をさらに備え、
前記無線端末部は、前記親基地局と同期を確立した後、同期信号からクロック信号抽出を行い、前記親基地局へ送信したプリアンブル信号に対して返送された返送されたレスポンス信号から、フレームタイミング抽出を行い、
前記同期信号生成部は、前記クロック信号抽出と前記フレームタイミング抽出の結果から、同期信号を生成し、前記通信制御部に提供し、前記親基地局及び自通信装置及び前記子基地局の同期を確立する
ことを特徴とする通信装置。
【請求項７】
請求項１に記載の通信装置において、
前記制御部を、さらに備え、
前記制御部は、
受信信号が前記子基地局を通して無線端末へ送られるデータ信号である場合、前記通信制御部へ送り、
前記子基地局の制御に関わる制御信号である場合、前記解析部へデータを送り、
受信した信号が自装置宛に送られた信号で有れる場合、該信号を処理し、
隣接基地局の電波強度の測定結果を、ハンドオーバを判定するための判定部へ送る
ことを特徴とする通信装置。
【請求項８】
請求項２に記載の通信装置において、
前記設定情報は、前記子基地局と、前記親基地局に有線で接続されたセンタネットワークとの間でやり取りされる暗号鍵の情報をさらに含み、
前記制御部は、前記暗号鍵をもとに、暗号化データの復号及び暗号化データへの暗号化を行う
ことを特徴とする通信装置。
【請求項９】
通信システムであって、
各基地局にＰＣＩＤを割り当てるセンタネットワークと、
前記センタネットワークに有線で接続された親基地局と、
無線信号を介して前記親基地局と通信を行い、有線ＬＡＮを介して前記子基地局とも通信を行う通信装置と、
無線端末から受け取ったデータを、前記通信装置と前記親基地局をバックホールとして、前記センタネットワークへ送るための子基地局と、
を備え、
前記通信装置は、
前記親基地局と無線通信を行う無線端末部と、
有線を介して接続された前記子基地局との通信を行う通信制御部と、
解析部と、
を備え、
前記解析部は、
前記子基地局から、前記通信制御部を介して、物理レイヤセル識別子（ＰＣＩＤ）要求と、周囲基地局のグローバルレイヤセル識別子（ＧＣＩＤ）及びＰＣＩＤ及び電波強度を含むサーチ結果とを取得し、
前記サーチ結果に前記親基地局の情報が含まれていないと判断した場合、前記サーチ結果に、予め取得した前記親基地局のＧＣＩＤ及びＰＣＩＤ及び電波強度を含む親基地局情報を追加して、ＰＣＩＤ要求と追加された前記サーチ結果を、前記無線端末部を介して、前記親基地局へ送信し、
前記サーチ結果に前記親基地局の情報が含まれていると判断した場合、前記サーチ結果に含まれる前記親基地局の電波強度が予め定められた閾値より低いと判断した場合、前記親基地局の電波強度を、予め取得した前記親基地局のダウンリンク信号の電波強度又は前記ダウンリンク信号の電波強度以上の値に更新し、ＰＣＩＤ要求と更新された前記サーチ結果を、前記無線端末部を介して、前記親基地局へ送信し、
前記サーチ結果に含まれる前記親基地局の電波強度が予め定められた閾値より低くないと判断と判断した場合、ＰＣＩＤ要求と取得した前記サーチ結果を、前記無線端末部を介して、前記親基地局へ送信する
通信システム。
【請求項１０】
請求項９に記載の通信システムにおいて、
前記通信装置が前記親基地局と前記子基地局に同じＰＣＩＤが割当てられない程度に、且つ、前記通信装置が前記子基地局へハンドオーバしない程度に、前記通信装置と前記子基地局との距離を離して設置することを特徴とする通信システム。
【請求項１１】
請求項９に記載の通信システムにおいて、
前記センタネットワークは、前記サーチ結果の情報内にあるＰＣＩＤと重複しないよう、前記子基地局へ割当てるＰＣＩＤを決定することを特徴とする通信システム。
【請求項１２】
請求項９に記載の通信システムにおいて、
前記センタネットワークは、前記サーチ結果の情報内にあるＰＣＩＤと重複しないＰＣＩＤを割当てる事ができない場合、前記サーチ結果の情報内の中にある電波強度の値を基に、電波強度の最も低いＰＣＩＤ又は予め定められた閾値より低いＰＣＩＤを割当てるよう、前記子基地局へ割当てるＰＣＩＤを決定することを特徴とする通信システム。
【請求項１３】
請求項９に記載の通信システムにおいて、
前記通信装置は、判定部を
さらに備え、
前記判定部は、
電波強度の閾値判定に加えて、ハンドオーバ候補先基地局の情報と、子基地局のＧＣＩＤに対するＰＣＩＤを含む設定情報を比較し、
ハンドオーバ候補先基地局の情報と前記設定情報が一致した場合、前記親基地局に有線で接続されたセンタネットワークへ測定結果を通知しないよう通知制御を行うことで、前記子基地局へのハンドオーバを防ぐ
ことを特徴とする通信システム。
【請求項１４】
請求項９に記載の通信システムにおいて、
前記通信装置は、同期信号生成部
をさらに備え、
前記同期信号生成部は、受信信号から抽出されたクロック信号及びフレームタイミングに基づき、同期信号を生成し、前記同期信号を前記通信制御部へ供給し、
前記通信制御部は、前記同期信号生成部にて生成された同期信号に同期することで、前記子基地局及び自通信装置及び前記親基地局の位相同期を確立させる
ことを特徴とする通信システム。
【請求項１５】
通信システムにおける通信方法であって、
前記通信システムは、
各基地局にＰＣＩＤを割り当てるセンタネットワークと、
前記センタネットワークに有線で接続された親基地局と、
無線信号を介して前記親基地局と通信を行い、有線ＬＡＮを介して前記子基地局とも通信を行う通信装置と、
無線端末から受け取ったデータを、前記通信装置と前記親基地局をバックホールとして、前記センタネットワークへ送るための子基地局と、
を備え、
前記通信装置は、
前記親基地局と無線通信を行う無線端末部と、
有線を介して接続された前記子基地局との通信を行う通信制御部と、
解析部と、
を備え、
前記解析部は、
前記子基地局から、前記通信制御部を介して、物理レイヤセル識別子（ＰＣＩＤ）要求と、周囲基地局のグローバルレイヤセル識別子（ＧＣＩＤ）及びＰＣＩＤ及び電波強度を含むサーチ結果とを取得し、
前記サーチ結果に前記親基地局の情報が含まれていないと判断した場合、前記サーチ結果に、予め取得した前記親基地局のＧＣＩＤ及びＰＣＩＤ及び電波強度を含む親基地局情報を追加して、ＰＣＩＤ要求と追加された前記サーチ結果を、前記無線端末部を介して、前記親基地局へ送信し、
前記サーチ結果に前記親基地局の情報が含まれていると判断した場合、前記サーチ結果に含まれる前記親基地局の電波強度が予め定められた閾値より低いと判断した場合、前記親基地局の電波強度を、予め取得した前記親基地局のダウンリンク信号の電波強度又は前記ダウンリンク信号の電波強度以上の値に更新し、ＰＣＩＤ要求と更新された前記サーチ結果を、前記無線端末部を介して、前記親基地局へ送信し、
前記サーチ結果に含まれる前記親基地局の電波強度が予め定められた閾値より低くないと判断と判断した場合、ＰＣＩＤ要求と取得した前記サーチ結果を、前記無線端末部を介して、前記親基地局へ送信する
通信方法。
【発明の詳細な説明】
【技術分野】
【０００１】
本発明は、通信装置及びシステム及び方法に係り、特に、親基地局（マクロセル基地局等）から子基地局（フェムトセル基地局等）へデータ信号・同期信号を供給するための通信装置及びシステム及び方法に関する。たとえば、バックホール回線を利用できず、また親基地局（マクロセル基地局等）やＧＰＳ信号を取得できない場所でも子基地局（フェムトセル基地局等）を運用できるよう、データ信号・同期信号を供給する装置を導入するものであり、また本装置は子基地局（フェムトセル基地局等）からくる電波干渉の影響を最小限に抑えることを可能とする。
【背景技術】
【０００２】
ＩＥＥＥ８０２．１６ｍ（以下ＷｉＭＡＸ）や３ＧＰＰ  Ｌｏｎｇ  Ｔｅｒｍ  Ｅｖｏｌｕｔｉｏｎ（以下、ＬＴＥ）など高速・大容量通信な通信を実現する無線通信方式において、マクロセル基地局（以下、マクロ基地局）のセル端にいるユーザ、または自宅等の屋内にいるユーザへのスループット向上は重要課題の一つとして挙げられる。その解決手段として、マクロ基地局に加えて、セル端や屋内の狭い範囲を集中的にカバーするフェムトセル基地局（以下、フェムト基地局）を高密度に設置するシステムが注目を浴びている。
【０００３】
図１は、本実施形態の関連技術における、マクロ基地局とフェムト基地局の概要図である。図１には、セルラー通信システム中のマクロ基地局２０が提供するマクロセル、及びフェムト基地局３０が提供するフェムトセルのセル構造を示す図を示す。フェムト基地局３０は、例えば、マクロ基地局２０の電波が届きにくい場所等において、マクロ基地局２０の代わりに端末と通信を行う。フェムト基地局３０はバックホール回線としてＡＤＳＬ、光ファイバ、同軸ケーブル等のブロードバンド回線と接続し、センタネットワーク５０とデータのやり取りを行う。端末４１はマクロ基地局２０と比べ、フェムト基地局３０からの距離を近くできる為、より電波環境の良い状態で通信を行うことができ、スループットを向上させることができる。
【０００４】
基地局を識別する為の識別子として、物理レイヤセル識別子（ＰＣＩＤ：  Ｐｈｙｓｉｃａｌ−ｌａｙｅｒ  Ｃｅｌｌ  Ｉｄｅｎｔｉｔｙ）とグローバルセル識別子（ＧＣＩＤ：  Ｇｌｏｂａｌ  Ｃｅｌｌ  Ｉｄｅｎｔｉｔｙ）が挙げられる。ＧＣＩＤは基地局の識別子であり、グローバルな範囲でユニークな値を持つため、各基地局のＧＣＩＤは重複しない。一方、ＰＣＩＤは各基地局（セル）の信号は区別するために使用される識別子（例えば拡散コード）であり、有限の数しか定義できない。なお、例えばＬＴＥ標準では、ＰＣＩＤは合計５０４個と定められている。
【０００５】
フェムト基地局の運用上の課題として、マクロ基地局との相互干渉が挙げられる。例えば図１のように、フェムトセル範囲内にいる端末４１が、マクロ基地局からの電波を強く受けてしまうと、干渉が生じ、スループットが劣化してしまうことが想定される。このようなシステム内の基地局間の干渉を回避する為に、ＰＣＩＤは隣接基地局間で重ならないように割当てる必要がある。
【０００６】
基地局に割当てる事ができるＰＣＩＤは有限であるため、隣接する基地局同士のＰＣＩＤが重複しないよう、事前に電波環境を調査した後、センタネットワークが手動でＰＣＩＤを設定し基地局を運用するのが一般的である。しかし、フェムト基地局は家庭内での設置等も推進しており、上述の方法では各々の利用者が装置を設置する際の利便性・作業効率を下げてしまう場合が想定される。そこで、フェムト基地局の運用開始時に適切なフェムト基地局のＰＣＩＤ（以下、フェムトＰＣＩＤ）を自動的に設定できる仕組みの検討が進んでいる。その方法として、例えばフェムト基地局にあるＧＰＳ通信機が取得する情報をセンタネットワーク側へ通知し、センタネットワークが管理する基地局情報から最適なＰＣＩＤを取得する方法や、或いはフェムト基地局が通信開始前に周囲の基地局をサーチし、ＰＣＩＤ申請メッセージと同時に、サーチ結果をセンタ機へ通知することで、センタネットワークが未使用のＰＣＩＤを割当てる方法などが挙げられている（特許文献１）。
【０００７】
また、フェムト基地局が有するＧＰＳ通信機には、時刻同期を行う役割も果たしている。ＷｉＭＡＸや時分割方式のＬＴＥなど、上り信号と下り信号の送出時間が異なる通信方式において、マクロ基地局とフェムト基地局で時刻同期が確立できていないと、フェムト基地局に接続している端末がマクロ基地局へハンドオーバを実施できず、一度接続を切断してから再接続しにいく等の手間が発生してしまう場合が想定される。そのため、フェムト基地局はマクロ基地局と同期を確立していなければならず、ＧＰＳの精密な時刻情報を用いる方法が一般的に採用されている。
【先行技術文献】
【特許文献】
【０００８】
【特許文献１】特開２０１１−１９３０７０号公報
【特許文献２】特開２００８−１８７５５２号公報
【発明の概要】
【発明が解決しようとする課題】
【０００９】
上述の通り、フェムト基地局はマクロ基地局の電波が届きにくい、屋内や地下などの場所で活躍されることが期待されている。しかし、現状のフェムト基地局には、設置環境に制限が生じるという課題がある。
【００１０】
一つ目として、通常、フェムト基地局のバックホールにブロードバンド回線を利用している。そのため、ブロードバンド回線が利用できない場所にフェムト基地局を導入したい場合、回線工事費などのコスト増が影響し、通信エリア拡大に支障が生じる場合がある。
【００１１】
二つ目として、屋内や地下において、ＧＰＳの電波が届きにくい。そのため、フェムト基地局がＧＰＳからの時刻情報を取得できないと、マクロ基地局との時刻同期を確立することができず、無線端末はフェムト基地局からマクロ基地局へハンドオーバを実行することができなくなることが想定される。
【００１２】
上述記の解決策として、ブロードバンド回線が利用できない箇所には、フェムトセル基地局を導入するよりも、受信した電波をＲＦ信号のまま増幅し、無線電波を送出するレピータ装置を導入する方が望ましい場合がある。また、ＧＰＳの信号が受信できない場所においても、特許文献２の実施形態のように、マクロ基地局からのプリアンブル信号を受信して同期信号を抽出する方式等、様々な方法が検討されている。
【００１３】
しかし、どの方式においても、フェムト基地局はマクロ基地局の電波を受信できる位置に設置されることが前提条件である。しかし、フェムト基地局の導入により通信エリアを確保したい場所では、マクロ基地局からの微弱であるか、まったく受信できない状況下である場合も存在する。従って、フェムト基地局がマクロ基地局からの信号を確実に受信できる場所に限定されてしまうと、本当に通信エリアを設けたい場所へサービスを提供できない場合があるという課題が生じる。
【００１４】
フェムト基地局の構成を工夫し、マクロ基地局と通信する無線部（アンテナ等）と、端末と通信する無線部を離して設置する方式も検討されている。しかし、ＲＦ信号を長距離伝送するためには、有線ケーブルを用いても、例えば２０〜３０ｄＢ以上の損失が生じ、必要なフェムト基地局の提供するエリアを狭めてしまう場合がある。
【００１５】
更に、マクロ基地局からの信号やＧＰＳの信号が届かないと、フェムト基地局は周辺環境の情報を取得することができない場合が想定される。そのため、センタネットワーク側はフェムト基地局の設置場所を管理することができず、結果、隣接するマクロ基地局と別のＰＣＩＤを割当てることもできなくなる場合がある。
【００１６】
図２は、本実施形態の関連技術における、フェムト基地局の課題を示す概要図である。
例えば図２にように、フェムト基地局３０が隣接するマクロ基地局２０と同一のＰＣＩＤが割当てられた場合、マクロセルとフェムトセルの干渉エリアにいる端末４２は両方の電波を区別できず、端末４２との通信に影響を及ぼしてしまう。
【００１７】
本発明は以上の点に鑑み、親基地局（フェムト基地局等）をブロードバンド回線が使用できない場所でも子基地局（マクロ基地局等）を運用する事を目的とする。
【課題を解決するための手段】
【００１８】
本発明の第１の解決手段によると、
通信装置であって、
親基地局と無線通信を行う無線端末部と、
有線を介して接続された子基地局との通信を行う通信制御部と、
解析部と、
を備え、
前記解析部は、
前記子基地局から、前記通信制御部を介して、物理レイヤセル識別子（ＰＣＩＤ）要求と、周囲基地局のグローバルレイヤセル識別子（ＧＣＩＤ）及びＰＣＩＤ及び電波強度を含むサーチ結果とを取得し、
前記サーチ結果に前記親基地局の情報が含まれていないと判断した場合、前記サーチ結果に、予め取得した前記親基地局のＧＣＩＤ及びＰＣＩＤ及び電波強度を含む親基地局情報を追加して、ＰＣＩＤ要求と追加された前記サーチ結果を、前記無線端末部を介して、前記親基地局へ送信し、
前記サーチ結果に前記親基地局の情報が含まれていると判断した場合、前記サーチ結果に含まれる前記親基地局の電波強度が予め定められた閾値より低いと判断した場合、前記親基地局の電波強度を、予め取得した前記親基地局のダウンリンク信号の電波強度又は前記ダウンリンク信号の電波強度以上の値に更新し、ＰＣＩＤ要求と更新された前記サーチ結果を、前記無線端末部を介して、前記親基地局へ送信し、
前記サーチ結果に含まれる前記親基地局の電波強度が予め定められた閾値より低くないと判断と判断した場合、ＰＣＩＤ要求と取得した前記サーチ結果を、前記無線端末部を介して、前記親基地局へ送信する
通信装置が提供される。
【００１９】
本発明の第２の解決手段によると、
通信システムであって、
各基地局にＰＣＩＤを割り当てるセンタネットワークと、
前記センタネットワークに有線で接続された親基地局と、
無線信号を介して前記親基地局と通信を行い、有線ＬＡＮを介して前記子基地局とも通信を行う通信装置と、
無線端末から受け取ったデータを、前記通信装置と前記親基地局をバックホールとして、前記センタネットワークへ送るための子基地局と、
を備え、
前記通信装置は、
前記親基地局と無線通信を行う無線端末部と、
有線を介して接続された前記子基地局との通信を行う通信制御部と、
解析部と、
を備え、
前記解析部は、
前記子基地局から、前記通信制御部を介して、物理レイヤセル識別子（ＰＣＩＤ）要求と、周囲基地局のグローバルレイヤセル識別子（ＧＣＩＤ）及びＰＣＩＤ及び電波強度を含むサーチ結果とを取得し、
前記サーチ結果に前記親基地局の情報が含まれていないと判断した場合、前記サーチ結果に、予め取得した前記親基地局のＧＣＩＤ及びＰＣＩＤ及び電波強度を含む親基地局情報を追加して、ＰＣＩＤ要求と追加された前記サーチ結果を、前記無線端末部を介して、前記親基地局へ送信し、
前記サーチ結果に前記親基地局の情報が含まれていると判断した場合、前記サーチ結果に含まれる前記親基地局の電波強度が予め定められた閾値より低いと判断した場合、前記親基地局の電波強度を、予め取得した前記親基地局のダウンリンク信号の電波強度又は前記ダウンリンク信号の電波強度以上の値に更新し、ＰＣＩＤ要求と更新された前記サーチ結果を、前記無線端末部を介して、前記親基地局へ送信し、
前記サーチ結果に含まれる前記親基地局の電波強度が予め定められた閾値より低くないと判断と判断した場合、ＰＣＩＤ要求と取得した前記サーチ結果を、前記無線端末部を介して、前記親基地局へ送信する
通信システムが提供される。
【００２０】
本発明の第３の解決手段によると、
通信システムにおける通信方法であって、
前記通信システムは、
各基地局にＰＣＩＤを割り当てるセンタネットワークと、
前記センタネットワークに有線で接続された親基地局と、
無線信号を介して前記親基地局と通信を行い、有線ＬＡＮを介して前記子基地局とも通信を行う通信装置と、
無線端末から受け取ったデータを、前記通信装置と前記親基地局をバックホールとして、前記センタネットワークへ送るための子基地局と、
を備え、
前記通信装置は、
前記親基地局と無線通信を行う無線端末部と、
有線を介して接続された前記子基地局との通信を行う通信制御部と、
解析部と、
を備え、
前記解析部は、
前記子基地局から、前記通信制御部を介して、物理レイヤセル識別子（ＰＣＩＤ）要求と、周囲基地局のグローバルレイヤセル識別子（ＧＣＩＤ）及びＰＣＩＤ及び電波強度を含むサーチ結果とを取得し、
前記サーチ結果に前記親基地局の情報が含まれていないと判断した場合、前記サーチ結果に、予め取得した前記親基地局のＧＣＩＤ及びＰＣＩＤ及び電波強度を含む親基地局情報を追加して、ＰＣＩＤ要求と追加された前記サーチ結果を、前記無線端末部を介して、前記親基地局へ送信し、
前記サーチ結果に前記親基地局の情報が含まれていると判断した場合、前記サーチ結果に含まれる前記親基地局の電波強度が予め定められた閾値より低いと判断した場合、前記親基地局の電波強度を、予め取得した前記親基地局のダウンリンク信号の電波強度又は前記ダウンリンク信号の電波強度以上の値に更新し、ＰＣＩＤ要求と更新された前記サーチ結果を、前記無線端末部を介して、前記親基地局へ送信し、
前記サーチ結果に含まれる前記親基地局の電波強度が予め定められた閾値より低くないと判断と判断した場合、ＰＣＩＤ要求と取得した前記サーチ結果を、前記無線端末部を介して、前記親基地局へ送信する
通信方法が提供される。
【発明の効果】
【００２１】
本発明によると、親基地局（フェムト基地局等）をブロードバンド回線が使用できない場所でも子基地局（マクロ基地局等）を運用する事が可能となる。
【図面の簡単な説明】
【００２２】
【図１】本実施形態の関連技術における、マクロ基地局とフェムト基地局の概要図である。
【図２】本実施形態の関連技術における、フェムト基地局の課題を示す概要図である。
【図３】本実施形態における、通信装置１０を設置した際の概要図である。
【図４】本実施形態における、通信装置１０のブロック図である。
【図５】本実施形態における、フェムト情報記憶部１０６に格納されるデータの一例である。
【図６】本実施形態における、親マクロ基地局２０と通信装置１０と子フェムト基地局３０の間で時刻同期が確立される（Ｓ０４）までのシーケンス図である。
【図７】本実施形態における、子フェムト基地局３０にフェムトＰＣＩＤ（Ｄ１６）が割当てられるまでのシーケンス図である。
【図８】本実施形態における、フェムト通知信号Ｄ１１のフォーマットの一例である。
【図９】本実施形態における、フェムト制御信号Ｄ１５のフォーマットの一例である。
【図１０】本実施形態における、サーチ結果情報追加（Ｓ１１）におけるフローチャートである。
【図１１】本実施形態における、サーチ結果Ｄ１３に情報追加（Ｆ０３）した際の、サーチ結果Ｄ１３の更新前後の一例である。を示す。
【図１２】本実施形態における、サーチ結果Ｄ１３にＲＳＲＰ値更新（Ｆ０５）した際の、サーチ結果Ｄ１３の更新前後の一例である。
【図１３】本実施形態における、通信装置１０がハンドオーバ実施を判定するフローチャートである。
【図１４】本実施形態における、通信装置１０がハンドオーバを実施しない場合のシーケンス図である。
【図１５】本実施形態における、通信装置１０がハンドオーバを実施する場合のシーケンス図である。
【発明を実施するための形態】
【００２３】
Ａ．概要
本実施形態では、ブロードバンド回線が利用できない場所、また、マクロ基地局やＧＰＳの信号が届かない場所に、フェムト基地局の設置を可能とし、フェムト基地局へデータ信号や同期信号を供給する通信装置の導入を可能とする。
【００２４】
本装置は、マクロ基地局から受信したデータ信号、及び無線信号から抽出したクロック信号から、フェムト基地局と同期させるための同期信号を生成し、有線ＬＡＮ等の回線を通してフェムト基地局へデータを転送する機能を有する。これにより、フェムト基地局はブロードバンド回線を要せずともセンタネットワークとのデータ通信が可能となり、またＧＰＳの信号を要せずともマクロ基地局との同期を確立することができる。
【００２５】
また本装置は、フェムト基地局からセンタネットワークへ送られるフェムト基地局情報（ＧＣＩＤ、周囲環境の測定結果、等）のデータに自身の情報を追加する機能を有する。この機能により、フェムト基地局自身が周囲状況を把握できなくとも、センタネットワークはフェムト基地局の設置位置を管理でき、フェムト基地局へ隣接する基地局と異なるＰＣＩＤを付与できることが可能となる。
【００２６】
更に本装置は、センタネットワークからフェムト基地局へ送られるフェムト基地局への設定付与情報（ＰＣＩＤ、等）を読取り、接続先の情報として保存する機能を有する。この機能により、本装置は周囲のマクロ基地局やフェムト基地局と区別して、自身がデータを供給するフェムト基地局の情報を管理することが可能となる。
【００２７】
Ｂ．通信装置及びシステム
以下、実施例を図面により説明する。
図３は、本実施形態の通信装置１０を設置した際の概要図である。以下、通信装置１０が無線信号で接続しているマクロ基地局を親マクロ基地局２０、通信装置１０が有線ＬＡＮで接続しているフェムト基地局を子フェムト基地局３０と呼ぶこととする。なお、親マクロ基地局・子フェムト基地局は、これらに限らず、適宜の親基地局・子基地局を用いることができる。
【００２８】
通信装置１０は端末機能を有し、無線信号を介して親マクロ基地局２０と通信を行うのと同時に、有線ＬＡＮを介して子フェムト基地局３０とも通信を行う。このことで、フェムト基地局３０は無線端末４１から受け取ったデータを、通信装置１０とマクロ基地局２０をバックホールとして、センタネットワーク５０へ送ることが可能である。
【００２９】
この際、通信装置１０は子フェムト基地局３０と距離を離して設置することが望ましい。しかし、通信装置１０と子フェムト基地局３０が十分に離されず設置されてしまった場合、親マクロ基地局２０と子フェムト基地局３０の両セル端にいる通信装置１０に、子フェムト基地局３０から強い電波を受信する。この時、親マクロ基地局２０と子フェムト基地局３０に同じＰＣＩＤが割当てしまっている場合、通信装置１０は干渉の影響を大きく受け、通信性能が劣化する場合が想定される。
【００３０】
また両者が別にＰＣＩＤが割当てられていたとしても、通信装置１０は子フェムト基地局３０からの電波を強く受けると、ハンドオーバ候補として認識してしまう。誤って通信装置１０が子フェムト基地局３０へハンドオーバしてしまうと、フェムト基地局へのデータを供給できなくなるという課題が生じる。
【００３１】
従って、通信装置１０を正確に運用するに当たって、子フェムト基地局３０が親マクロ基地局２０と異なるＰＣＩＤが付与されること、更に通信装置１０は子フェムト基地局３０へハンドオーバしないことを解決する機能を有する。
【００３２】
図４は、通信装置１０の構成を示すブロック図である。本実施形態では、特に、フェムト同期信号生成部１０３、フェムト通知／制御信号解析部１０５、フェムト情報記憶部１０６を有する。
【００３３】
送受信アンテナ１００は、親マクロ基地局２０と無線通信を行う。また、無線端末部１０１は、無線ＲＦ部、アナログ・ディジタルコンバータ（ＡＤＣ）、ディジタル・アナログコンバータ（ＤＡＣ）、変復調部、電波強度測定部など、一般的な無線端末が具備する機能を有する。
【００３４】
制御部１０２では、送受信した信号の制御を行う。例えば、制御部１０２は、通信装置１０が受信した信号のヘッダ情報や宛先アドレスを確認し、受信信号がフェムト基地局を通して端末へ送られるデータ信号である場合、そのままフェムト通信制御部１０７へ送る。一方、フェムト基地局の制御に関わる信号（フェムト制御信号Ｄ１５）である場合、一度フェムト通知／制御信号解析部１０５を通して、フェムト通信制御部１０７へデータを送る。
【００３５】
また、受信した信号が通信装置１０宛に送られた信号（マクロ基地局２０の情報や通信装置１０の送受信に関する制御、など）は、制御部１０２内にて処理される。しかし、本実施形態では、ハンドオーバ先を探索する為に定期的に実施される隣接基地局のＲｅｆｅｒｅｎｃｅ  Ｓｉｇｎａｌ（以下、ＲＳ信号）電波強度測定の結果を、測定結果通知判定部１０４へと送り、この測定結果をセンタネットワーク５０へ通知するか否かの通知判定を委ねる。
【００３６】
フェムト同期信号生成部１０３では、無線端末部１０１が受信した信号からクロック信号、及びフレームタイミングを抽出し、フェムト同期信号を生成する。この同期信号をフェムト通信制御部１０７へ供給することで、接続先にいる子フェムト基地局３０への従属同期を実現する。この結果、子フェムト基地局３０はマクロ基地局の信号やＧＰＳ信号を直接受信せずとも、親マクロ基地局２０や他基地局と時刻同期を確立させることが可能となる。詳細は「（１）マクロ基地局との同期確立」にて説明する。
【００３７】
測定結果通知判定部１０４では、制御部１０２から測定結果を取得した際、候補先基地局の情報（ＰＣＩＤや電波強度の測定結果）から、測定結果をセンタネットワーク５０へ通知するか否かの通知制御を行う。通常、測定結果の通知制御は、測定された電波強度（以下、ＲＳＲＰ）がある閾値を超えるか否かに関わるものである。
【００３８】
本実施形態では、一例として、測定結果通知判定部１０４はＲＳＲＰの閾値判定に加えて、ハンドオーバ候補先基地局の情報と、フェムト情報記憶部１０６内に記憶されているフェムト設定情報を比較する。もしハンドオーバ候補先基地局の情報とフェムト設定情報が一致した場合、測定結果通知判定部１０４はセンタネットワーク５０へ測定結果を通知しないよう通知制御を行うことで、通信装置１０は子フェムト基地局３０へのハンドオーバを防ぐ。詳細は「（３）子フェムト基地局３０へのハンドオーバ阻止」にて説明する。
【００３９】
フェムト通知／制御信号解析部１０５はセンタネットワーク５０と子フェムト基地局３０との間でやり取りされるフェムト通知信号Ｄ１１と、フェムト制御信号Ｄ１５の解析を行う。本実施形態では、主に以下２点を実施するとしている。
【００４０】
まず、フェムト通知／制御信号解析部１０５は、子フェムト基地局３０からセンタネットワーク５０へ送られるフェムト通知信号Ｄ１１、またセンタネットワーク５０から子フェムト基地局３０へ送られるフェムト制御信号Ｄ１５の情報を読み取り、フェムト設定情報をフェムト情報記憶部１０６へ保存する。この保存した情報により、通信装置１０は接続先の子フェムト基地局３０の情報を管理する事ができ、例えば、子フェムト基地局３０へのハンドオーバを防ぐ等の制御に利用する。
【００４１】
次に、フェムト通知／制御信号解析部１０５は、フェムト通知信号Ｄ１１内に、ＰＣＩＤ要求Ｄ１２やサーチ結果Ｄ１３が含まれていた場合、サーチ結果Ｄ１３に通信装置１０が保有する情報を追加する。これにより、子フェムト基地局３０は周囲状況を把握できなくとも、センタネットワーク５０は子フェムト基地局３０の周囲状況の情報を管理することを可能とする。
【００４２】
フェムト設定情報には、子フェムト基地局３０とセンタネットワーク５０との間でやり取りされる暗号鍵の情報も含むことができる。この暗号鍵をもとに、生後ｙ部１０２は、暗号化されたデータの復号を行い、通信装置１０にて情報の追加や更新を実施した後、再びデータを暗号化することも可能とする。詳細は、「（２）子フェムト基地局３０への自動ＰＣＩＤ割当て」にて説明する。
【００４３】
フェムト通信制御部１０７は、有線を介した子フェムト基地局３０とのデータ通信の制御を行う。フェムト通信制御部１０７では制御部１０２と同様の手順で、データの分離を行う。また、フェムト同期信号生成部１０３にて生成されたフェムト同期信号に同期することで、子フェムト基地局３０は通信装置１０、および親マクロ基地局２０へ位相同期を確立させることができる。
【００４４】
図５に、フェムト情報記憶部１０６に格納されるデータの一例を示す。フェムト情報記憶部１０６はフェムト通知／制御信号解析部１０５から送られるフェムト設定情報（ＧＣＩＤ、ＰＣＩＤ、暗号鍵）等の情報を記憶する。また、子フェムト基地局３０がセンタネットワーク５０から周波数や送信電力の制御を受ける時、フェムト情報記憶部１０６はこれらの情報も合わせて記憶しても良い。また、フェムト情報記憶部１０６はフェムト設定情報が送られる際、記憶しているデータを更新する。
【００４５】
Ｃ．詳細処理
以下、通信装置１０の運用として、（１）マクロ基地局との同期確立、（２）子フェムト基地局３０への自動ＰＣＩＤ割当て、（３）子フェムト基地局３０へのハンドオーバ阻止、の各手法を説明する。
【００４６】
（１）マクロ基地局との同期確立
図６は、本実施形態における、親マクロ基地局２０、通信装置１０、子フェムト基地局３０の同期確立手法を示すシーケンス図である。なお、本実施形態はＬＴＥの通信方式をもとに記述するが、本実施形態においてはＷｉＭＡＸや他の時分割通信方式にも適用できる。
【００４７】
まず通信装置１０（例えば、無線端末部１０１、制御部１０２、又は、フェムト同期信号生成部１０３）は親マクロ基地局２０からの同期信号Ｄ００を受信し、周波数同期を確立（Ｓ００）する。一般的な端末では、親マクロ基地局２０と同期を確立した後、基地局との通信を開始するが、本実施形態では、無線端末部１０１が、同期信号Ｄ００から子フェム基地局と同期させるべくクロック信号の抽出（Ｓ０１）を行う。
【００４８】
次に通信装置１０（例えば、無線端末部１０１、制御部１０２、又は、フェムト同期信号生成部１０３）は、端末としての情報を通知すべく親マクロ基地局２０へＲＡプリアンブル信号Ｄ０１を送信し、受取った親マクロ基地局２０はＲＡレスポンス信号Ｄ０２を送信する。本実施形態では、無線端末部１０１が、このＲＡレスポンス信号Ｄ０２から、親マクロ基地局２０から送信される信号のフレームタイミングを抽出（Ｓ０２）する。
【００４９】
通信装置１０では、フェムト同期信号生成部１０３が、クロック信号抽出（Ｓ０１）とフレームタイミング抽出（Ｓ０２）の結果から、フェムト同期信号を生成（Ｓ０３）する。このフェムト同期信号を用いて、フェムト通信制御部１０７を同期させることで、親マクロ基地局２０から子フェムト基地局３０までの同期を確立する（Ｓ０４）ことが可能となる。
【００５０】
この方式では、通信装置１０から子フェムト基地局３０までの同期手法は問わない。例えば、同期イーサやＩＥＥＥ１５５８（Ｐｒｅｃｉｓｉｏｎ  Ｔｉｍｅ  Ｐｒｏｔｏｃｏｌ、以下ＰＴＰ）等の規格化された技術を用いてもよい。
【００５１】
（２）子フェムト基地局３０への自動ＰＣＩＤ割当て
図７は、本実施形態における、子フェムト基地局３０へＰＣＩＤが割当てられるまでのシーケンス図である。本実施形態は、通信装置１０において、主に、サーチ結果情報追加（Ｓ１１）、及び、フェムト設定情報取得（Ｓ１３）を実施する。
【００５２】
子フェムト基地局３０は、運用を開始する前に、センタネットワーク５０にフェムト通知信号Ｄ１１を送信する。フェムト通知信号Ｄ１１の中には、ＰＣＩＤ要求Ｄ１２、及び、周囲基地局の電波状況を周囲サーチ（Ｓ１０）したサーチ結果Ｄ１３が含まれており、センタネットワーク５０はサーチ結果Ｄ１３と自身が管理する他基地局の情報を基に、子フェムト基地局３０のＰＣＩＤを決定することができる。
【００５３】
従来、通信装置１０は子フェムト基地局３０から送付されてきたデータは、そのまま親マクロ基地局２０を経由してセンタネットワーク５０へ送られる。しかし、本実施形態においては、通信装置１０はフェムト通知信号Ｄ１１を取得した後、フェムト通知／制御信号解析部１０５にて、サーチ結果Ｄ１３に親マクロ基地局２０の情報を追加（Ｓ１１）する（詳細は図１０等で後述）。このサーチ結果情報追加（Ｓ１１）を実施することで、子フェムト基地局３０が周囲サーチ（Ｓ１０）の時に、親マクロ基地局２０を見つけることができない、また微弱な電波しか見つけることができなくとも、センタネットワーク５０へ親マクロ基地局２０の情報を確実に通知することが可能となる。
【００５４】
センタネットワーク５０は、親マクロ基地局２０を介して、ＰＣＩＤ要求Ｄ１２を受取ると、サーチ結果Ｄ１３の情報内にあるＰＣＩＤと重複しないよう、子フェムト基地局３０へ割当てるＰＣＩＤを決定（Ｓ１２）する。
【００５５】
また、センタネットワーク５０は、仮にサーチ結果Ｄ１３の情報内にあるＰＣＩＤと重複しないＰＣＩＤを割当てる事ができない場合、サーチ結果Ｄ１３の情報内の中にあるＲＳＲＰの値を下に、最もＲＳＲＰ値の低いＰＣＩＤ（又は、予め定められた閾値より低いＰＣＩＤ）を割当てるよう、子フェムト基地局３０へ割当てるＰＣＩＤを決定（Ｓ１２）する。
【００５６】
センタネットワーク５０は、フェムトＰＣＩＤを決定（Ｓ１２）した後、子フェムト基地局３０へフェムト制御信号Ｄ１５を通知する。子フェムト基地局３０はフェムト制御信号Ｄ１５を取得した後、付与されたＰＣＩＤにて運用を開始（Ｓ１４）する。
【００５７】
通信装置１０は、センタネットワーク５０から送付されてきたフェムト制御信号Ｄ１５を子フェムト基地局３０へ通知する前に、制御信号解析部１０５にて情報を読取り、フェムト情報記憶部１０６に記憶する（Ｓ１３）。このフェムト情報取得（Ｓ１３）により、通信装置１０は子フェムト基地局３０のフェムト設定情報（ＰＣＩＤ等）を把握することができ、ハンドオーバ実施判定等に使用することが可能となる。
【００５８】
図８に、フェムト通知情報Ｄ１１のデータフォーマットの一例を示す。フェムト通知情報Ｄ１１はデータ信号内に、ＰＣＩＤ要求Ｄ１２とサーチ結果Ｄ１３を含んでおり、フェムト通知／制御信号解析部１０５はこのサーチ結果Ｄ１３のデータを書き換えることで、サーチ結果情報追加（Ｓ１１）を実施する（詳細は後述）。
【００５９】
図９に、フェムト制御信号Ｄ１５のデータフォーマットの一例を示す。フェムト制御信号Ｄ１５はデータ信号内に、フェムトＰＣＩＤ（Ｄ１５）等の情報を含む。
【００６０】
図１０に、サーチ結果情報追加（Ｓ１１）に関するフローチャートを示す。通信装置１０は、フェムト通信制御部１０７にて、フェムト通知信号Ｄ１１を取得（Ｆ０１）した後、フェムト通知／制御信号解析部１０５にて、サーチ結果Ｄ１３の内容を読取る。フェムト通知／制御信号解析部１０５は、サーチ結果Ｄ１３に親マクロ基地局２０の情報が含まれているかの判断（Ｆ０２）、また子フェムト基地局３０が見つけた親マクロ基地局２０の電波強度（ＲＳＲＰ）が微弱であるかの判断（Ｆ０４）を実施する。
【００６１】
フェムト通知／制御信号解析部１０５は、サーチ結果Ｄ１３に親マクロ基地局２０の情報が含まれていないと判断（Ｆ０２）した場合、サーチ結果Ｄ１３に、親マクロ基地局２０（ＧＣＩＤ＝２０）の情報を追加（Ｆ０３）し、制御部１０２及び無線端末部１０１を介して、親マクロ基地局２０へ送信（Ｆ０６）する。
【００６２】
一方、フェムト通知／制御信号解析部１０５は、サーチ結果Ｄ１３に親マクロ基地局２０の情報が含まれていると判断（Ｆ０２）した場合においても、サーチ結果Ｄ１３に含まれる親マクロ基地局２０のＲＳＲＰ値が、予め定められた閾値より低いと判断（Ｆ０４）と判断した場合、フェムト通知／制御信号解析部１０５はＧＣＩＤ＝２０のＲＳＲＰ値を、通信装置１０が取得する親マクロ基地局２０のダウンリンク信号のＲＳＲＰ値（又は、それ以上の値）に更新（Ｆ０３）し、制御部１０２及び無線端末部１０１を介して、親マクロ基地局２０へ送信（Ｆ０６）する。
なお、親マクロ基地局２０の情報（ＧＣＩＤ、ＰＣＩＤ、ＲＳＲＰ等）は、予め取得しているものとする。
【００６３】
上述の２つとも当てはまらない場合、フェムト通知／制御信号解析部１０５は、サーチ結果Ｄ１３を、制御部１０２及び無線端末部１０１を介して、そのまま親マクロ基地局２０へ送信（Ｆ０６）する。
【００６４】
尚、フェムト通知／制御信号解析部１０５が情報を追加するマクロ基地局２０のＰＣＩＤやＲＳＲＰ値等の情報に関しては、マクロ基地局２０と通信装置１０が接続完了した時点で取得できるものであるが、ＲＳＲＰ値においては接続完了後もデータ通信中に取得できる値であるため、随時更新しても良いものとする。
【００６５】
図１１に、サーチ結果Ｄ１３に親マクロ基地局２０の情報が含まれていないと判断（Ｆ０２）した時における、サーチ結果Ｄ１３の変更前後を示す。本実施形態では、各基地局のＧＣＩＤ、ＰＣＩＤ、ＲＳＲＰ，周波数等の情報をセンタネットワーク５０へ通知し、フェムトＰＣＩＤ（Ｄ１６）を決定するための情報としている。
【００６６】
図１１（ａ）のようにサーチ結果Ｄ１３に親マクロ基地局２０の情報が含まれていない場合、フェムト通知／制御信号解析部１０５は、親マクロ基地局２０との接続完了時に入手したＰＣＩＤ等の情報を、サーチ結果Ｄ１３に追加（Ｆ０３）する。その結果、図１１（ｂ）のように、サーチ結果Ｄ１３内に親マクロ基地局２０の結果が含まれる事となり、センタネットワーク５０がフェムトＰＣＩＤ決定（Ｓ１２）を行う際、ＰＣＩＤ＝１を割当て候補から除外する事ができる。
【００６７】
図１２に、サーチ結果Ｄ１３に含まれる親マクロ基地局２０のＲＳＲＰが低いと判断（Ｆ０４）した時における、サーチ結果Ｄ１３の変更前後を示す。
【００６８】
図１２（ａ）のようにサーチ結果Ｄ１３に親マクロ基地局２０の情報が含まれている場合においても、ＲＳＲＰが予め定められた電界閾値（例：−１２０ｄＢｍ等）より弱電界の情報である場合、センタネットワーク５０はフェムトＰＣＩＤ決定（Ｓ１１）を行う際、ＰＣＩＤ＝１は干渉の影響を受けないと判断し、親マクロ基地局２０と同じＰＣＩＤ＝１を割当て候補として選んでしまう場合が想定される。
【００６９】
そこで、フェムト通知／制御信号解析部１０５は、通信装置１０がデータ通信中に取得するＲＳＲＰ値を残すよう、サーチ結果Ｄ１３を更新する。その結果、図１２（ｂ）のように、サーチ結果Ｄ１３内の親マクロ基地局２０のＲＳＲＰ値はー８０ｄｂｍと強電界〜中電界の値に書き換えられる事となり、センタネットワーク５０がフェムトＰＣＩＤ決定（Ｓ１２）を行う際、ＰＣＩＤ＝１を割当て候補から除外する事ができる。
【００７０】
尚、本実施形態においては、簡単の為、通信装置１０が親マクロ基地局２０の情報のみを追加する動作について説明したが、例えば通信装置１０もフェムト基地局同様、運用開始前に周囲環境をサーチし、そのサーチ結果をもとに、子フェムト基地局から送信されたサーチ結果Ｄ１３に情報を追加、または更新する等しても良い。
【００７１】
（３）子フェムト基地局３０へのハンドオーバ阻止
次に、通信装置１０が子フェムト基地局３０へのハンドオーバを阻止する手法について説明する。
【００７２】
図１３は、本実施形態における、通信装置１０がハンドオーバ実施を判定するフローチャートである。本実施形態では、従来のハンドオーバの実施例に加えて、特に、ハンドオーバ先候補と子フェムト基地局３０のＰＣＩＤが一致するか否かを判定するフロー（Ｆ１４）を実施することを特徴とする。
【００７３】
通信装置１０は親マクロ基地局２０とのデータ通信を行う際、定期的に隣接基地局のセルサーチ（Ｆ１１）を実施し、ハンドオーバ先候補を発見したか否か（Ｆ１２）を判断する。
【００７４】
従来技術では端末がハンドオーバ先候補を発見した時、測定結果通知判定部１０４にて、ＲＳＲＰがある閾値以上であるか否か（Ｆ１３）を判断する。ＲＳＲＰが一定閾値以上である場合、端末は基地局へ測定結果を通知し、ハンドオーバ実施の判断を委ねる。
【００７５】
本実施形態では、測定結果通知判定部１０４は、フェムト情報記憶部１０６を参照し、ＲＳＲＰの判定（Ｆ１３）に加えて、ハンドオーバ先候補と子フェムト基地局３０のＰＣＩＤが一致するか否か（Ｆ１４）の判断を行う。もし両者のＰＣＩＤが異なる場合においては、従来どおり通信装置１０は親マクロ基地局２０へ測定結果を通知（Ｆ１５）し、ハンドオーバ実施の判断（Ｆ１６）を委ねる。しかし、もしハンドオーバ先候補と子フェムト基地局３０のＰＣＩＤが同一である場合、通信装置１０はハンドオーバ先候補が、自身がデータを供給する子フェムト基地局３０であると判断し、測定結果通知判定部１０４はセルサーチ結果を通知せず（Ｆ２８）、処理を終了させる（Ｆ２９）。
【００７６】
図１４は、通信装置１０がハンドオーバを実施しない際のシーケンス図である。例えば、通信装置１０がセルサーチ開始（Ｓ２０）からセルサーチ終了（Ｓ２１）までの間に、子フェムト基地局から送出されたＲＳ信号Ｄ１０と、親マクロ基地局２０から送出されたＲＳ信号Ｄ２１を受信したとする。この時、従来であれば、通信装置２０は子フェムト基地局３０をハンドオーバ候補とみなし、測定結果を通知する。しかし本実施形態においては、測定結果通知判定Ｓ２２にて、ＲＳＲＰの閾値判定（Ｆ１３）とＰＣＩＤの判定（Ｆ１４）を実施する為、ＲＳ信号Ｄ２０が子フェムト基地局３０から送出された信号であると判断することができる。従って、測定結果通知判定部１０４は測定結果を通知せず、そのまま処理を終了（Ｓ２３）する。
【００７７】
図１５は、通信装置１０がハンドオーバを実施する際のシーケンス図である。例えば、通信装置１０がセルサーチ開始（Ｓ２０）からセルサーチ終了（Ｓ２１）までの間に、子フェムト基地局から送出されたＲＳ信号Ｄ２０と、親マクロ基地局２０から送出されたＲＳ信号Ｄ２１、別のマクロ基地局２１から送出されたＲＳ信号Ｄ２２を受信したとする。この時、測定結果通知判定Ｓ２２にて、ＲＳＲＰの閾値判定（Ｆ１３）とＰＣＩＤの判定（Ｆ１４）を実施し、マクロ基地局２１をハンドオーバ先候補と判定し、ＲＳＲＰ測定結果（Ｄ２３）をセンタネットワーク５０へ通知する。センタネットワーク５０はＲＳＲＰ測定結果Ｄ２３から、ハンドオーバ実施判定（Ｓ２４）を行い、ハンドオーバ実施命令（Ｄ２４）を通知する。異常の動作から、子フェムト基地局３０を除いた他の基地局とのハンドオーバ処理（Ｓ２５）を実行することが可能である。
【００７８】
Ｄ．本実施形態の効果
本実施形態の無線端末装置は、例えば、マクロセル基地局と通信を行う無線端末装置において、少なくとも有線接続を介してフェムトセル基地局へとデータ通信を行う機能を有し、バックホール回線を利用できない場所でもフェムト基地局を運用できるよう、フェムトセル基地局のバックホールとしてデータ信号を供給することができる。
【００７９】
また、本無線端末装置において、無線信号から同期信号、及びフレームタイミングを抽出し、フェムト基地局へ従属同期させる同期信号を生成する機能を有し、ＧＰＳやマクロ基地局からの信号を受信できず、時刻同期できないフェムトセル基地局へ、同期信号を供給することができる。
【００８０】
さらに、本無線端末装置において、センタネットワークとフェムトセル基地局の間でやり取りされる制御信号を解析する制御信号解析部を有し、フェムトセル基地局から送られる制御信号にマクロ基地局の情報を追加、または更新することで、ＧＰＳやマクロ基地局からの信号を受信できずとも、センタネットワークがフェムトセル基地局の位置情報の管理、及び最適なＰＣＩＤの割当てを可能とすることができる。
【００８１】
また、本無線端末装置において、センタネットワークとフェムトセル基地局の間でやり取りされる制御信号を解析する制御信号解析部、またフェムトセル基地局の情報を記憶する記憶部を有し、センタネットワークから送られる制御信号を記憶することで、データ・同期信号を供給するフェムトセル基地局の情報を入手することができる。
さらに、本無線端末装置において、フェムト基地局の情報を記憶する記憶部、他基地局の電波強度測定の結果をマクロ基地局へ通知するか否かを判断する機能を有し、ハンドオーバ候補がデータ・同期信号を供給するフェムトセル基地局である場合、測定結果を通知しないよう制御することができる。
【００８２】
Ｅ．付記
なお、本発明は上記した実施例に限定されるものではなく、様々な変形例が含まれている。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００８３】
１０  通信装置
２０  親マクロ基地局
２１  マクロ基地局
３０  子フェムト基地局
４０  端末１
４１  端末２
５０  センタネットワーク
１００  送受信アンテナ
１０１  無線端末部
１０２  制御部
１０３  フェムト同期信号生成部
１０４  測定結果通知判定部
１０５  フェムト通知／制御信号解析部
１０６  フェムト情報記憶部
１０７  フェムト通信制御部
【図１】
2016116188.tif 000003
【図２】
2016116188.tif 000004
【図３】
2016116188.tif 000005
【図４】
2016116188.tif 000006
【図５】
2016116188.tif 000007
【図６】
2016116188.tif 000008
【図７】
2016116188.tif 000009
【図８】
2016116188.tif 000010
【図９】
2016116188.tif 000011
【図１０】
2016116188.tif 000012
【図１１】
2016116188.tif 000013
【図１２】
2016116188.tif 000014
【図１３】
2016116188.tif 000015
【図１４】
2016116188.tif 000016
【図１５】
2016116188.tif 000017